(57)【要約】【課題】  照明の調光率を的確に制御することが可能な照明制御システムを提供する。【解決手段】  照明制御システムは、室内に設置される照明３２，３３と、室内の少なくとも一部の輝度を検出する輝度カメラ１０と、現在の照明３２，３３の調光率から現在の照明３２，３３による輝度を演算し、輝度カメラ１０が検出した輝度と現在の照明３２，３３による輝度の差から昼光による輝度を演算し、目標の輝度と昼光による輝度の差に基づいて照明３２，３３の調光率を制御する制御部と、を備える。【選択図】図１
2019075317.tif 000002
【特許請求の範囲】
【請求項１】
室内に設置される照明と、
前記室内の少なくとも一部の輝度を検出する輝度カメラと、
現在の照明の調光率から現在の照明による輝度を演算し、前記輝度カメラが検出した輝度と前記現在の照明による輝度の差から昼光による輝度を演算し、目標の輝度と前記昼光による輝度の差に基づいて前記照明の調光率を制御する制御部と、
を備える
ことを特徴とする照明制御システム。
【請求項２】
前記制御部は、目標の輝度と前記昼光による輝度の差が０より大きい場合、以下の式（Ａ）から調光率を演算する
ことを特徴とする請求項１に記載の照明制御システム。
Ｖ＝（ＨＬ−Ｄ１）／Ｄ２                        （Ａ）
ただし、
Ｖ：照明調光率、
ＨＬ：補足すべき輝度、
Ｄ１：第１照明係数、
Ｄ２：第２照明係数、
である。
ここで、第１照明係数と第２照明係数は、調光率と輝度の線形関係を表す定数である。
【請求項３】
前記照明は、複数の区域に分かれて設置され、
前記輝度カメラは、窓に向けて設置され、前記室内の壁、天井及び窓の少なくとも一部の輝度を検出し、
前記制御部は、前記複数の区域毎に前記照明の調光率を制御する
ことを特徴とする請求項１又は２に記載の照明制御システム。
【請求項４】
前記輝度カメラは、前記室内の机上面の少なくとも一部の輝度を検出し、
前記制御部は、前記机上面の輝度から取得した照度に基づいて、前記照明の調光率を制御する
ことを特徴とする請求項１乃至３のいずれか１つに記載の照明制御システム。
【請求項５】
前記制御部は、以下の式（Ｂ）から輝度を演算する
ことを特徴とする請求項１乃至４のいずれか１つに記載の照明制御システム。
log10(y) ＝ a1log10(x)＋a2log10ρ＋a3ω＋a4      （Ｂ）
ただし、
y：輝度、
ｘ：窓面輝度の現在値、
ρ：机上面の反射率、
ω：窓の立体角、
である。
また、a1,a2,a3,a4は、以下の条件を満足する。
0.6＜a1＜0.9
0.8＜a2＜1.2
0.2＜a3＜0.4
0≦a4
【発明の詳細な説明】
【技術分野】
【０００１】
本発明は、室内の照明を制御する照明制御システムに関する。
【背景技術】
【０００２】
従来、照明制御に用いるセンサは、１つの照明領域に少なくとも１つ設置する。したがって、照明領域と同じ数のセンサが必要である。また、従来のセンサは、日射の反射光が直接入射してしまうおそれがある（特許文献１参照）。
【先行技術文献】
【特許文献】
【０００３】
【特許文献１】特開２００６−８５９３４号公報
【非特許文献１】「昼光利用における窓面と壁面の好ましい輝度対比に関する研究  その４  ブラインド利用時における窓面輝度の扱いについて」，加藤未佳，外４名，日本建築学会大会学術講演梗概集，pp.563-564，2014年
【発明の概要】
【発明が解決しようとする課題】
【０００４】
本発明は、照明の調光率を的確に制御することが可能な照明制御システムを提供することを目的とする。
【課題を解決するための手段】
【０００５】
本発明にかかる照明制御システムは、室内に設置される照明と、前記室内の少なくとも一部の輝度を検出する輝度カメラと、現在の照明の調光率から現在の照明による輝度を演算し、前記輝度カメラが検出した輝度と前記現在の照明による輝度の差から昼光による輝度を演算し、目標の輝度と前記昼光による輝度の差に基づいて前記照明の調光率を制御する制御部と、を備えることを特徴とする。
【０００６】
また、本発明にかかる照明制御システムでは、前記制御部は、目標の輝度と前記昼光による輝度の差が０より大きい場合、以下の式（Ａ）から調光率を演算する
ことを特徴とする。
Ｖ＝（ＨＬ−Ｄ１）／Ｄ２                        （Ａ）
ただし、
Ｖ：照明調光率、
ＨＬ：補足すべき輝度、
Ｄ１：第１照明係数、
Ｄ２：第２照明係数、
である。
ここで、第１照明係数と第２照明係数は、調光率と輝度の線形関係を表す定数である。
【０００７】
また、本発明にかかる照明制御システムでは、前記照明は、複数の区域に分かれて設置され、前記輝度カメラは、窓に向けて設置され、前記室内の壁、天井及び窓の少なくとも一部の輝度を検出し、前記制御部は、前記複数の区域毎に前記照明の調光率を制御することを特徴とする。
【０００８】
また、本発明にかかる照明制御システムでは、前記輝度カメラは、前記室内の机上面の少なくとも一部の輝度を検出し、前記制御部は、前記机上面の輝度から取得した照度に基づいて、前記照明の調光率を制御することを特徴とする。
【０００９】
また、本発明にかかる照明制御システムでは、前記制御部は、以下の式（Ｂ）から輝度を演算することを特徴とする。
log10(y) ＝ a1log10(x)＋a2log10ρ＋a3ω＋a4      （Ｂ）
ただし、
y：壁面輝度、
ｘ：窓面輝度の現在値、
ρ：机上面の反射率、
ω：窓の立体角、
である。
【発明の効果】
【００１０】
本発明にかかる照明制御システムによれば、照明の調光率を的確に制御することが可能となる。
【図面の簡単な説明】
【００１１】
【図１】本実施形態の照明制御システムを用いる室内構造の一例を示す。
【図２】図１のII−II断面を示す。
【図３】本実施形態の照明制御システムの制御フローチャートを示す。
【図４】壁照明調光率演算のフローチャートを示す。
【図５】第１壁照明調光率演算のフローチャートを示す。
【図６】第２壁照明調光率演算のフローチャートを示す。
【図７】天井照明調光率演算のフローチャートを示す。
【発明を実施するための形態】
【００１２】
以下、図面を参照して本発明にかかる一実施形態の照明制御システムを説明する。
【００１３】
図１は、本実施形態の照明制御システムを用いる室内構造の一例を示す。図２は、図１のII−II断面を示す。
【００１４】
本実施形態の照明制御システムは、図１に示すような執務室等の所定の屋内の部屋１に用いられる。部屋１は、壁面２、天井面３、窓面５及び床６で囲まれている。天井３には、壁照明３２及び天井照明３３が設置されている。壁照明３２は、天井３の壁面側に設置される。
【００１５】
本実施形態の輝度カメラ１０は、壁面近傍領域１２の壁面測定点２２、天井面近傍領域１３の天井面測定点２３、机上面近傍領域１４の机上面測定点２４及び窓面近傍領域１５の窓面測定点２５の輝度を取得する。本実施形態の輝度カメラ１０は、壁面２、天井面３、机上面４及び窓面５の各面の少なくとも一部が視野に入るように、天井面３から吊される。なお、輝度カメラ１０の取付構造は、この例に限らず、所定の面の輝度が取得できれば、どのような取付構造でもよい。
【００１６】
壁面近傍領域１２は、壁照明３２が設置された側の壁面２及び壁面２の近傍を含む。すなわち、壁照明３２を制御することによって、輝度が変化する領域を含む。壁面測定点２２は、壁面近傍領域１２の所定の箇所に設定されればよい。なお、窓面５から近い側から複数の壁面測定点２２を設定してもよい。
【００１７】
天井面近傍領域１３は、天井面３及び天井面３の近傍を含む。すなわち、天井照明３３を制御することによって、輝度が変化する領域を含む。天井面測定点２３は、天井面近傍領域１３の所定の箇所に設定されればよい。また、天井面近傍領域１３は、１つの室１に複数設定してもよい。本実施形態は、窓面５から近い側から第１天井面近傍領域１３１、第２天井面近傍領域１３２及び第３天井面近傍領域１３３とする。そして、本実施形態は、第１天井面近傍領域１３１に第１天井面測定点２３１及び第１天井照明３３１、第２天井面近傍領域１３２に第２天井面測定点２３２及び第２天井照明３３２、第３天井面近傍領域１３３に第３天井面測定点２３３及び第３天井照明３３３をそれぞれ設定する。
【００１８】
本実施形態のように、窓面５から近い側から複数の測定点を設定することで、それぞれの箇所に対応して、外光による影響を考慮することができ、より的確に照明の制御をすることが可能となる。
【００１９】
机上面近傍領域１４は、机上面４及び机上面４の近傍を含む。すなわち、天井照明３３を制御することによって、輝度が変化する領域を含む。机上面測定点２４は、机上面近傍領域１４の所定の箇所に設定されればよい。また、机上面近傍領域１４は、１つの室１に複数設定してもよい。本実施形態は、窓面５から近い側から第１机上面近傍領域１４１、第２机上面近傍領域１４２及び第３机上面近傍領域１４３とする。そして、本実施形態は、第１机上面近傍領域１４１に第１机上面測定点２４１、第２机上面近傍領域１４２に第２机上面測定点２４２、第３机上面近傍領域１４３に第３机上面測定点２４３をそれぞれ設定する。
【００２０】
本実施形態のように、窓面５から近い側から複数の測定点を設定することで、それぞれの箇所に対応して、外光による影響を考慮することができ、より的確に照明の制御をすることが可能となる。
【００２１】
窓面近傍領域１５は、窓面５及び窓面５の近傍を含む。すなわち、天井照明３３を制御することによって、輝度が変化する領域を含む。窓面測定点２５は、窓面近傍領域１５の所定の箇所に設定されればよい。
【００２２】
壁照明３２は、壁面測定点２２で測定された輝度によって調光率が制御される。第１天井照明３３１は、第１天井面測定点２３１、第１机上面測定点２４１及び窓面測定点２５で測定された輝度によって調光率が制御される。第２天井照明３３２は、第２天井面測定点２３２及び第２机上面測定点２４２で測定された輝度によって調光率が制御される。第３天井照明３３３は、第３天井面測定点２３３及び第３机上面測定点２４３で測定された輝度によって調光率が制御される。
【００２３】
次に、本実施形態の照明制御システムの制御方法について説明する。
【００２４】
図３は、本実施形態の照明制御システムの制御フローチャートを示す。
【００２５】
本実施形態の照明制御システムは、図示しない制御部を備え、制御部は、輝度カメラ１０が取得した壁面測定点２２、天井面測定点２３及び窓面測定点２５の輝度値、並びに、机上面測定点２４の照度値を入力として、壁照明３２及び天井照明３３の調光率を制御する。なお、本実施形態の窓面近傍領域には、ブラインド５１が設置されているが、本実施形態では、ブラインド５１の制御は考慮しない。
【００２６】
まず、ステップ１で、制御部は、輝度参照領域設定ファイルを読み込む（ＳＴ１）。本実施形態の照明制御システムのステップ１では、輝度カメラ１０から取得した画像のどの部分の輝度を取得するか測定点を設定する。本実施形態の測定点は、図１及び図２に示した壁面測定点２２、天井面測定点２３、机上面測定点２４及び窓面測定点２５である。なお、一つの面に輝度の測定点を複数設定してもよい。
【００２７】
続いて、ステップ２で、制御部は、輝度ファイルを読み込む（ＳＴ２）。本実施形態の照明制御システムのステップ２では、輝度カメラ１０から取得した画像から壁面測定点２２、天井面測定点２３、机上面測定点２４及び窓面測定点２５の輝度を取得する。なお、一つの面に輝度の測定点を複数設定した場合、複数の測定点の平均値又は最大値をその面の輝度としてもよい。
【００２８】
次に、ステップ３で、壁照明調光率を演算する（ＳＴ３）。
【００２９】
ここで、壁照明調光率の演算を説明する。
【００３０】
図４は、壁照明調光率演算のフローチャートを示す。
【００３１】
まず、ステップ１１で、壁面輝度の明るさ感に対する第１壁照明調光率演算がＯＮか否かを判定する（ＳＴ１１）。ステップ１１において、第１壁照明調光率演算がＯＮの場合、ステップ１２で、第１壁照明調光率演算を実行する（ＳＴ１２）。なお、第１壁照明調光率演算の内容は、後述する。ステップ１１において、第１壁照明調光率演算がＯＦＦの場合、ステップ１３で、第１壁照明調光率＝０として一時保存する（ＳＴ１３）。
【００３２】
次に、ステップ１４で、壁面輝度に対する第２壁照明調光率演算がＯＮか否かを判定する（ＳＴ１４）。ステップ１４において、第２壁照明調光率演算がＯＮの場合、ステップ１５で、第２壁照明調光率演算を実行する（ＳＴ１５）。なお、第２壁照明調光率演算の内容は、後述する。ステップ１４において、第２壁照明調光率演算がＯＦＦの場合、ステップ１６で、第２壁照明調光率＝０として一時保存する（ＳＴ１６）。
【００３３】
ここで、第１壁照明調光率演算と第２壁照明調光率演算を説明する。まず、第１壁照明調光率演算制御について説明する。
【００３４】
図５は、第１壁照明調光率演算のフローチャートを示す。
【００３５】
まず、ステップ２１で、輝度ファイルより現在の壁面輝度を取得する（ＳＴ２１）。現在の壁面輝度は、ステップ２において読み込んだ輝度ファイルから取得する。
【００３６】
次に、ステップ２２で、７５％許容ライン数式により、壁面輝度を演算する（ＳＴ２２）。７５％許容ライン数式は、例えば、非特許文献１に記載された以下の式（１）のような指標を用いればよい。
log10(y) ＝ a1log10(x)＋a2log10ρ＋a3ω＋a4      （１）
ただし、
y：壁面輝度、
ｘ：窓面輝度の現在値、
ρ：机上面の反射率、
ω：窓の立体角、
である。
また、a1,a2,a3,a4は、以下の条件を満足する。
0.6＜a1＜0.9
0.8＜a2＜1.2
0.2＜a3＜0.4
0≦a4
【００３７】
次に、ステップ２３で、現在の壁照明調光率を取得する（ＳＴ２３）。現在の壁照明調光率は、前回決定した調光率を記憶したファイルから取得する。
【００３８】
続いて、ステップ２４で、現在の照明による壁面輝度を演算する（ＳＴ２４）。現在の照明による壁面輝度は、以下の式（２）から演算される。
Ｌwlｎ＝Ｄwl２×Ｖwlｎ＋Ｄwl１                      （２）
ただし、
Ｌwlｎ：現在の照明による壁面輝度、
Ｄwl１：第１壁照明係数、
Ｄwl２：第２壁照明係数、
Ｖwlｎ：現在の壁照明調光率、
である。
ここで、第１照明係数と第２照明係数は、調光率と輝度の線形関係を表す定数である。例えば、式（２）をグラフに示すと、第１壁照明係数が切片、第２壁照明係数が傾きをあらわす。
【００３９】
次に、ステップ２５で、現在の昼光による壁面輝度を演算する（ＳＴ２５）。現在の昼光による輝度は、以下の式（３）から演算される。
ＤＬwlｎ＝Ｍwlｎ−Ｌwlｎ                            （３）
ただし、
ＤＬwlｎ：現在の昼光による壁面輝度、
Ｍwlｎ：現在の壁面輝度、
Ｌwlｎ：現在の照明による壁面輝度、
である。
【００４０】
次に、ステップ２６で、照明により補足する壁面輝度を演算する（ＳＴ２６）。補足すべき壁面輝度は、以下の式（４）から演算される。
ＨＬwl＝y−ＤＬwlｎ                     （４）
ただし、
ＨＬwl：補足すべき壁面輝度、
y：壁面輝度、
ＤＬwlｎ：現在の昼光による壁面輝度、
である。
【００４１】
次に、ステップ２７で、以下の式（５）から第１壁照明調光率を演算する（ＳＴ２７）。
Ｖwl１＝（ＨＬwl−Ｄwl１）／Ｄwl２                 （５）
ただし、
Ｖwl１：第１壁照明調光率、
ＨＬwl：補足すべき壁面輝度、
Ｄwl１：第１壁照明係数、
Ｄwl２：第２壁照明係数、
である。
ここで、第１照明係数と第２照明係数は、調光率と輝度の線形関係を表す定数である。
【００４２】
次に、ステップ２８で、第１壁照明調光率が０より大きく１００％より小さいか否かを判定する（ＳＴ２８）。
【００４３】
ステップ２８において、第１壁照明調光率が０より大きく１００％より小さい場合、ステップ２９で、以下の式（６）のように、現在の壁照明調光率を第１壁照明調光率とする（ＳＴ２９）。
Ｖwl１＝Ｖwlｎ                                    （６）
ただし、
Ｖwl１：第１壁照明調光率、
Ｖwlｎ：現在の壁照明調光率、
である。
【００４４】
ステップ２８において、第１壁照明調光率が０より大きく１００％より小さくない場合、ステップ３０で、照明により補足すべき壁面輝度が０以下か否かを判定する（ＳＴ３０）。
【００４５】
ステップ３０において、補足すべき壁面輝度が０以下の場合、ステップ３１で、第１壁照明調光率を０とする（ＳＴ３１）。ステップ３０において、補足すべき壁面輝度が０以上の場合、ステップ３２で、第１壁照明調光率を１００％とする（ＳＴ３１）。
【００４６】
次に、第２壁照明調光率演算制御について説明する。
【００４７】
図６は、第２壁照明調光率演算のフローチャートを示す。
【００４８】
まず、ステップ４１で、輝度ファイルより現在の壁面輝度を取得する（ＳＴ４１）。現在の壁面輝度は、ステップ２において読み込んだ輝度ファイルから取得する。
【００４９】
次に、ステップ４２で、現在の壁照明調光率を取得する（ＳＴ４２）。現在の壁照明調光率は、前回決定した調光率を記憶したファイルから取得する。
【００５０】
続いて、ステップ４３で、現在の照明による壁面輝度を演算する（ＳＴ４３）。壁面輝度は、以下の式（２）から演算される。
Ｌwlｎ＝Ｄwl２×Ｖwlｎ＋Ｄwl１                  （２）
ただし、
Ｌwlｎ：現在の照明による壁面輝度、
Ｄwl１：第１壁照明係数、
Ｄwl２：第２壁照明係数、
Ｖwlｎ：現在の壁照明調光率、
である。
ここで、第１照明係数と第２照明係数は、調光率と輝度の線形関係を表す定数である。
【００５１】
次に、ステップ４４で、現在の昼光による壁面輝度を演算する（ＳＴ４４）。現在の昼光による輝度は、以下の式（３）から演算される。
ＤＬwlｎ＝Ｍwlｎ−Ｌwlｎ                         （３）
ただし、
ＤＬwlｎ：現在の昼光による壁面輝度、
Ｍwlｎ：現在の壁面輝度、
Ｌwlｎ：現在の照明による壁面輝度、
である。
【００５２】
次に、ステップ４５で、照明により補足する壁面輝度を演算する（ＳＴ４５）。補足すべき壁面輝度は、以下の式（４）から演算される。
ＨＬwl＝Ｍwlａ−ＤＬwlｎ                         （４’）
ただし、
ＨＬwl：補足すべき壁面輝度、
Ｍwlａ：予め設定した目標壁面輝度、
ＤＬwlｎ：現在の昼光による壁面輝度、
である。
【００５３】
次に、ステップ４６で、以下の式（５）から第２壁照明調光率を演算する（ＳＴ４６）。
Ｖwl２＝（ＨＬwl−Ｄwl１）／Ｄwl２                （５）
ただし、
Ｖwl２：第２壁照明調光率、
ＨＬwl：補足すべき壁面輝度、
Ｄwl１：第１壁照明係数、
Ｄwl２：第２壁照明係数、
である。
ここで、第１照明係数と第２照明係数は、調光率と輝度の線形関係を表す定数である。
【００５４】
次に、ステップ４７で、第２壁照明調光率が０より大きく１００％より小さいか否かを判定する（ＳＴ４７）。
【００５５】
ステップ４７において、第２壁照明調光率が０より大きく１００％より小さい場合、ステップ４８で、以下の式（６）のように、現在の壁照明調光率をそのまま第２壁照明調光率とする（ＳＴ３８）。
Ｖwl２＝Ｖwlｎ                                   （６）
ただし、
Ｖwl２：第２壁照明調光率、
Ｖwlｎ：現在の壁照明調光率、
である。
【００５６】
ステップ４７において、第２壁照明調光率が０より大きく１００％より小さくない場合、ステップ４９で、照明により補足すべき壁面輝度が０以下か否かを判定する（ＳＴ４９）。
【００５７】
ステップ４９において、補足すべき壁面輝度が０以下の場合、ステップ５０で、第２壁照明調光率を０％とする（ＳＴ５０）。ステップ４９において、補足すべき壁面輝度が０以上の場合、ステップ５１で、第２壁照明調光率を１００％とする（ＳＴ５１）。
【００５８】
次に、図３に示したメインルーチンに戻り、ステップ４で、天井照明調光率を演算する（ＳＴ４）。
【００５９】
図７は、天井照明調光率演算のフローチャートを示す。
【００６０】
まず、ステップ６１で、各天井面輝度に対する天井照明調光率演算がＯＮか否かを判定する（ＳＴ６１）。ステップ６１において、天井照明調光率演算がＯＮの場合、ステップ６２で、天井照明調光率演算を実行する（ＳＴ６２）。なお、天井照明調光率演算の内容は、後述する。ステップ６１において、天井照明調光率演算がＯＦＦの場合、ステップ６３で、天井照明調光率＝０として一時保存する（ＳＴ６３）。
【００６１】
図１及び図２に示すように、天井面近傍領域１３は、第１天井面近傍領域１３１、第２天井面近傍領域１３２及び第３天井面近傍領域１３３に分けられる。したがって、ステップ４１〜４３では、第１天井面近傍領域１３１、第２天井面近傍領域１３２及び第３天井面近傍領域１３３のそれぞれに対して天井照明調光率を演算する。したがって、ステップ６１〜６３は、各天井面輝度に対して、第１天井照明調光率、第２天井照明調光率及び第３天井照明調光率を求める。
【００６２】
第１天井面近傍領域１３１、第２天井面近傍領域１３２及び第３天井面近傍領域１３３のそれぞれに対する天井照明調光率の演算は、図６に示した第２壁照明調光率演算のフローチャートの「壁面輝度」を「第１天井輝度」、「第２天井輝度」及び「第３天井輝度」にそれぞれ読み替え、並びに、「第２壁照明」及び「壁照明」を、「第１天井照明」、「第２天井照明」及び「第３天井照明」にそれぞれ読み替えて実行すればよい。
【００６３】
次に、ステップ６４で、各机上面照度に対する天井照明調光率演算がＯＮか否かを判定する（ＳＴ６４）。ステップ６４において、天井照明調光率演算がＯＮの場合、ステップ６５で、天井照明調光率演算を実行する（ＳＴ６５）。なお、天井照明調光率演算の内容は、後述する。ステップ６４において、天井照明調光率演算がＯＦＦの場合、ステップ６６で、天井照明調光率＝０として一時保存する（ＳＴ６６）。
【００６４】
図１及び図２に示すように、机上面近傍領域１４は、第１机上面近傍領域１４１、第２机上面近傍領域１４２及び第３机上面近傍領域１４３に分けられる。したがって、ステップ６４〜６６では、第１机上面近傍領域１４１、第２机上面近傍領域１４２及び第３机上面近傍領域１４３のそれぞれに対して天井照明調光率を演算する。したがって、ステップ６４〜６６は、各机上面照度に対して、第１天井照明調光率、第２天井照明調光率及び第３天井照明調光率を求める。
【００６５】
机上面照度は、以下の式（７）に示すように、机上面の輝度から演算する。
Ｍd＝π・Ｌd／ρ                                    （７）
ただし、
Ｍd：机上面照度
Ｌd：机上面輝度
ρ：机上面の反射率、
である。
【００６６】
第１机上面近傍領域１４１、第２机上面近傍領域１４２及び第３机上面近傍領域１４３のそれぞれに対する天井照明調光率の演算は、図６に示した第２壁照明調光率演算のフローチャートの「壁面輝度」を「第１机上面照度」、「第２机上面照度」及び「第３机上面照度」にそれぞれ読み替え、「第２壁照明」及び「壁照明」を、「第１天井照明」、「第２天井照明」及び「第３天井照明」にそれぞれ読み替えて実行すればよい。
【００６７】
次に、ステップ６７で、窓面輝度に対する天井照明調光率演算がＯＮか否かを判定する（ＳＴ６７）。ステップ６７において、天井照明調光率演算がＯＮの場合、ステップ６８で、天井照明調光率演算を実行する（ＳＴ６８）。なお、天井照明調光率演算の内容は、後述する。ステップ６７において、天井照明調光率演算がＯＦＦの場合、ステップ６９で、天井照明調光率＝０として一時保存する（ＳＴ６９）。
【００６８】
ステップ６７〜６９では、窓面近傍領域１５に対して第１天井照明調光率を演算する。窓面近傍領域１５の天井照明調光率の演算は、図６に示した第２壁照明調光率演算のフローチャートの「壁面輝度」を「窓面輝度」に読み替え、「第２壁照明」及び「壁照明」を、「第１天井照明」にそれぞれ読み替えて実行すればよい。
【００６９】
ステップ４において、図７に示した各天井照明調光率の演算を終えると、図３に示したステップ５に進む。
【００７０】
ステップ５で、第１壁照明調光率と第２壁照明調光率のうち、大きい調光率を壁照明調光率として一時保存する（ＳＴ５）。第１壁照明調光率及び第２壁照明調光率は、図４に示したフローチャートで演算した調光率を用いる。
【００７１】
続いて、ステップ６で、第１天井面輝度、第１机上面照度又は窓面輝度に対する各調光率のうち、最も大きい調光率を第１天井照明調光率として一時保存する（ＳＴ６）。
【００７２】
続いて、ステップ７で、第２天井面輝度又は第２机上面照度に対する各調光率のうち、最も大きい調光率を第２天井照明調光率として一時保存する（ＳＴ７）。
【００７３】
続いて、ステップ８で、第３天井面輝度又は第３机上面照度に対する各調光率のうち、最も大きい調光率を第３天井照明調光率として一時保存する（ＳＴ８）。
【００７４】
ステップ６〜８で比較する各調光率は、図７に示したフローチャートで演算した各調光率を用いる。
【００７５】
次に、ステップ９で、各照明の調光率を変更する（ＳＴ９）。すなわち、壁照明調光率は、ステップ５において一時保存した調光率に変更する。また、第１天井照明調光率はステップ６、第２天井照明調光率はステップ７、第３天井照明調光率はステップ８において一時保存した調光率にそれぞれ変更する。
【００７６】
次に、ステップ１０で、各照明調光率を現在の照明調光率として保存する（ＳＴ１０）。
【００７７】
このように、本実施形態の照明制御システムは、壁照明３２、並びに、天井照明３３を構成する第１天井照明３３１、第２天井照明３３２及び第３天井照明３３３の調光率をそれぞれ制御することが可能となる。
【００７８】
なお、本実施形態の照明制御システムでは、輝度カメラ１０が、壁２、天井３、机上４及び窓５の輝度を検出して、壁照明３２及び天井照明３３を制御した。しかしながら、輝度カメラ１０は、壁２、天井３、机上４及び窓５の全てを検出する必要は無く、少なくともいずれか１つを検出すればよい。また、壁２、天井３、机上４及び窓５に限らず、室内の少なくとも一部の輝度を検出すればよい。また、制御する照明も壁照明３２及び天井照明３３の両方を制御する必要は無く、少なくともいずれか１つを検出すればよい。また、壁照明３２及び天井照明３３に限らず、室内の照明のうち少なくとも１つの調光率を制御すればよい。
【００７９】
以上、本実施形態の照明制御システムは、室内に設置される照明３２，３３と、室内の少なくとも一部の輝度を検出する輝度カメラ１０と、現在の照明３２，３３の調光率から現在の照明３２，３３による輝度を演算し、輝度カメラ１０が検出した輝度と現在の照明３２，３３による輝度の差から昼光による輝度を演算し、目標の輝度と昼光による輝度の差に基づいて照明３２，３３の調光率を制御する制御部と、を備える。したがって、システムで使用するセンサの数を削減することができ、且つ、日射の反射光が直接入射する影響をほぼなくすことができ、１つの輝度カメラ１０で照明３２，３３の調光率を的確に制御することが可能となる。
【００８０】
また、本発明にかかる照明制御システムでは、制御部は、目標の輝度と昼光による輝度の差が０より大きい場合、以下の式（Ａ）から調光率を演算する。したがって、照明３２，３３の調光率を的確に制御することが可能となる。
Ｖ＝（ＨＬ−Ｄ１）／Ｄ２                        （Ａ）
ただし、
Ｖ：照明調光率、
ＨＬ：補足すべき輝度、
Ｄ１：第１照明係数、
Ｄ２：第２照明係数、
である。
ここで、第１照明係数と第２照明係数は、調光率と輝度の線形関係を表す定数である。
【００８１】
また、本発明にかかる照明制御システムでは、照明３２，３３は、複数の区域に分かれて設置され、輝度カメラ１０は、窓５に向けて設置され、室内の壁２、天井３及び窓５の少なくとも一部の輝度を検出し、制御部は、複数の区域毎に照明３２，３３の調光率を制御する。したがって、居室者の見え方に近い輝度の検出をすることができ、室内の照明の位置毎に異なる制御をすることが可能となる。
【００８２】
また、本発明にかかる照明制御システムでは、輝度カメラ１０は、室内の机上面４の少なくとも一部の輝度を検出し、制御部は、机上面４の輝度から取得した照度に基づいて、照明３２，３３の調光率を制御する。したがって、居室者の作業位置に基づいた照明の制御をすることが可能となる。
【００８３】
また、本発明にかかる照明制御システムでは、制御部は、以下の式（Ｂ）から輝度を演算する。したがって、輝度の明るさ感から照明を制御することができ、異なる指標に対応することが可能となる。
log10(y) ＝ a1log10(x)＋a2log10ρ＋a3ω＋a4      （Ｂ）
ただし、
y：壁面輝度、
ｘ：窓面輝度の現在値、
ρ：机上面の反射率、
ω：窓の立体角、
である。
また、a1,a2,a3,a4は、以下の条件を満足する。
0.6＜a1＜0.9
0.8＜a2＜1.2
0.2＜a3＜0.4
0≦a4
【００８４】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えてもよい。
【符号の説明】
【００８５】
１…温度検出部
２…壁
３…天井
４…机上
５…窓
６…床
１０…輝度カメラ
１２…壁面近傍領域
１３…天井面近傍領域
１４…机上面近傍領域
１５…窓面近傍領域
２２…壁面測定点
２３…天井面測定点
２４…机上面測定点
２５…窓面測定点
３２…壁照明
３３…天井照明
【図１】
2019075317.tif 000003
【図２】
2019075317.tif 000004
【図３】
2019075317.tif 000005
【図４】
2019075317.tif 000006
【図５】
2019075317.tif 000007
【図６】
2019075317.tif 000008
【図７】
2019075317.tif 000009